(57)【要約】【課題】  適宜の長さに収縮される筒型ダンパをその収縮状態に維持して搬送や所定位置への取付に好適となるようにする。【解決手段】  シリンダ体１に対してロッド体２が出没可能に挿通されてなると共にロッド体１側に保持されてシリンダ体１内から突出するロッド体２およびシリンダ体１におけるヘッド部１１側を外側から覆うカバー体３を有してなる筒型ダンパを適宜の長さの収縮状態に維持する形態保持構造において、分割構造に形成されながらシリンダ体１の外周に介装されるプラグ４を有してなり、このプラグがシリンダ体の外周に内周を対向させるカバー体における開口端部３１の内周とシリンダ体１の外周との間に圧入されてカバー体３とシリンダ体１との間における相対移動を阻止する先端挿し込み部４１を有してなる。【選択図】        図１
2006348986.tif 000002
【特許請求の範囲】
【請求項１】
シリンダ体に対してロッド体が出没可能に挿通されてなると共にロッド体側に保持されてシリンダ体内から突出するロッド体およびシリンダ体におけるヘッド部側を外側から覆うカバー体を有してなる筒型ダンパを適宜の長さの収縮状態に維持する形態保持構造において、分割構造に形成されながらシリンダ体の外周に介装されるプラグを有してなり、このプラグがシリンダ体の外周に内周を対向させるカバー体における開口端部の内周とシリンダ体の外周との間に圧入されてカバー体とシリンダ体との間における相対移動を阻止する先端挿し込み部を有してなることを特徴とする形態保持構造
【請求項２】
カバー体の開口端部が内側に突出する突起を有してなると共に、プラグの先端挿し込み部が上記の突起を収容させる凹部を外周に有してなる請求項１に記載の形態保持構造
【請求項３】
プラグの内周に凸部が形成されてなると共に、シリンダ体の外周に上記の凸部を収容させる凹部が形成されてなる請求項１に記載の形態保持構造
【請求項４】
プラグが弾性材からなる請求項１に記載の形態保持構造
【発明の詳細な説明】
【技術分野】
【０００１】
この発明は、形態保持構造に関し、特に、適宜の長さに収縮される筒型ダンパをその収縮状態に維持する形態保持構造の改良に関する。
【背景技術】
【０００２】
筒型ダンパたる、たとえば、ガス封入型のダンパにあっては、外力が作用していないいわゆるフリー状態では、ガス圧で最伸長状態にあり、したがって、搬送時や所定位置への取付時には適宜に収縮されている方が好ましいことがある。
【０００３】
一方、たとえば、特許文献１には、同じく筒型ダンパであって、懸架バネのバネ力で伸長作動する油圧緩衝器において、懸架バネのバネ力を規制することで、油圧緩衝器を収縮状態に維持することを可能にする提案が開示されている。
【０００４】
すなわち、この特許文献１に開示されているところは、油圧緩衝器おけるシリンダ体のボトム端に連設のアイを挿通して両端がシリンダ体の外径より突出することになるシャフト状のホルダを有すると共に、このホルダの両端部を貫通して懸架バネの伸縮方向に延在される線状の一対の吊り材を有してなり、この一対の吊り材が懸架バネに分離可能に連繋されるとしている。
【０００５】
このとき、一対の吊り材は、外周に螺条を有する言わば基端側がホルダを貫通すると共に、この基端側の螺条にナットを螺合させ、言わば先端にフックを有して懸架バネへの掛け止めを可能にしている。
【０００６】
それゆえ、この特許文献１に開示の提案によれば、先端のフックを懸架バネに掛け止めると共に、この状態でナットをいわゆる締め上げれば、懸架バネが強制的に収縮されることになり、この限りにおいて、懸架バネの附勢力をシリンダ体から突出するロッド体に作用させないようにすることが可能になるから、油圧緩衝器を収縮状態に維持することが可能になる。
【特許文献１】特開平８−８２３３４号公報（図１）
【発明の開示】
【発明が解決しようとする課題】
【０００７】
しかしながら、上記した特許文献１に開示の提案は、筒型ダンパたる油圧緩衝器が懸架バネを外装する場合に具現化できる提案であって、油圧緩衝器が懸架バネを内装していて外部からこれを強制的に収縮し得ない場合、あるいは、油圧緩衝器がガス封入型とされる場合には、その具現化が不可能になる。
【０００８】
ちなみに、筒型ダンパたる油圧緩衝器が懸架バネを内装する場合、あるいは、筒型ダンパがガス封入型とされる場合に、これらの筒型ダンパにあってシリンダ体内にロッド体を没入させた収縮状態下に両端間に帯状材や線状材からなるバンド類を架け回してその収縮状態を維持する、すなわち、形態保持を可能にする提案をなし得る。
【０００９】
しかし、この提案にあっては、バンド類が筒型ダンパの両端にあるアイを挿通する状態に架け回されるとするのは好ましくなく、それゆえ、バンド類がアイをいわゆる包むように架け回されることになり、それゆえ、その筒型ダンパを所定位置に取り付ける際にバンド類が周辺に干渉してその取付を阻害したり不能にしたりする危惧があると指摘される可能性がある。
【００１０】
この発明は、前記した事情を鑑みて創案されたものであって、その目的とするところは、適宜の長さに収縮される筒型ダンパをその収縮状態に維持して搬送や所定位置への取付に好適となるようにするのに最適となる形態保持構造を提供することである。
【課題を解決するための手段】
【００１１】
上記した目的を達成するために、この発明による形態保持構造の構成を、基本的には、シリンダ体に対してロッド体が出没可能に挿通されてなると共にロッド体側に保持されてシリンダ体内から突出するロッド体およびシリンダ体におけるヘッド部側を外側から覆うカバー体を有してなる筒型ダンパを適宜の長さの収縮状態に維持する形態保持構造において、分割構造に形成されながらシリンダ体の外周に介装されるプラグを有してなり、このプラグがシリンダ体の外周に内周を対向させるカバー体における開口端部の内周とシリンダ体の外周との間に圧入されてカバー体とシリンダ体との間における相対移動を阻止する先端挿し込み部を有してなるとする。
【発明の効果】
【００１２】
それゆえ、この発明によれば、プラグが分割構造に形成されているから、シリンダ体の外周への介装が容易になると共に、プラグにおける先端挿し込み部がカバー体の開口端部の内周とシリンダ体の外周との間に圧入されることでプラグとシリンダ体との間に摩擦力が発生してカバー体とシリンダ体との間における相対移動が阻止されるから、カバー体を保持するロッド体とシリンダ体との間における相対移動、すなわち、筒型ダンパにおける伸縮が阻止されて、筒型ダンパを適宜の長さに収縮した状態に維持することが可能になる。
【発明を実施するための最良の形態】
【００１３】
以下に、図に示した実施形態に基づいて、この発明を説明するが、この発明による形態保持構造は、図示するところでは、図１に示すように、筒型ダンパたるガス封入型の油圧緩衝器に具現化されてなるとしている。
【００１４】
すなわち、まず、この発明の具現化にあって、油圧緩衝器が単筒型に形成されているか複筒型に形成されているかは、基本的には自由であるが、図示すところでは、油圧緩衝器が単筒型に形成されてなるとしている。
【００１５】
そして、この油圧緩衝器は、シリンダ体１に対してロッド体２が出没可能に挿通されてなると共に、ロッド体２側に保持されたカバー体３を有していていわゆるカバー付きに形成されてなるとしている。
【００１６】
また、この油圧緩衝器にあっては、シリンダ体１内に挿通されるロッド体２に連設されながらシリンダ体１内に摺動可能に収装されるピストン部（図示せず）を有していて、シリンダ体１に対してロッド体２が出没されるときにシリンダ体１内をピストン部が摺動してこのピストン部などに配在される減衰力発生部で所定の減衰力が発生されるとしている。
【００１７】
さらに、この油圧緩衝器にあって、カバー体３は、シリンダ体１内から突出するロッド体２およびシリンダ体１におけるヘッド部１１側を外側から覆うように機能するもので、油圧緩衝器においてシリンダ体１内からロッド体２が大きいストロークで突出することになる最伸長時にも開口端部３１が少なくともシリンダ体１のヘッド部１１を外側から覆うことになるように設定されている。
【００１８】
ところで、上記した油圧緩衝器に具現化されるこの発明による形態保持構造についてだが、この形態保持構造は、分割構造に形成されながらシリンダ体１の外周に介装されるプラグ４を有してなるとしている。
【００１９】
そして、このプラグ４は、カバー体３の開口端部３１の内周とシリンダ体１の外周との間に圧入されてカバー体３とシリンダ体１との間における相対移動を阻止する先端挿し込み部４１を有してなるとしている。
【００２０】
ちなみに、このプラグ４にあっては、上記の先端挿し込み部４１を連設させながらシリンダ体１の外周に介装される本体部４２を有しているが、この本体部４２は、所定の機械的強度を有する限りには、また、シリンダ体１との間に所定の摩擦力を発生し得る限りには任意の形状に形成されて良い。
【００２１】
それゆえ、この形態保持構造にあっては、油圧緩衝器を適宜の長さに収縮させた状態下に、プラグ４を、すなわち、プラグ４における先端挿し込み部４１をカバー体３の開口端部３１とシリンダ体１との間に圧入することのみで、収縮された油圧緩衝器をその状態に維持し得ることになる。
【００２２】
ちなみに、カバー体３とシリンダ体１との間にプラグ４における先端挿し込み部４１を圧入する、すなわち、臨在させるには、プラグ４を移動させるのは容易でなく、したがって、多くの場合に、シリンダ体１に対して自由に回動できるロッド体２側に保持されているカバー体３が移動されるのが常であろうし、このことは、後述する図３に示す実施形態の場合であっても同様である。
【００２３】
このとき、プラグ４が分割構造に形成されているから、シリンダ体１の外周への介装が容易になると共に、爾後の撤去も容易に実現し得ることになり、さらに、プラグ４が弾性材、たとえば、プラスチックやゴムで形成されてなる場合には、低コストにしてシリンダ体１の外周に傷を付けることなく所期の目的を達成できることになる。
【００２４】
また、プラグ４における先端挿し込み部４１の断面についてだが、これを楔状に設定する場合には、プラグ４を圧入するストロークに応じていわゆる固定状態の具現化が容易になる。
【００２５】
そして、この先端挿し込み部４１の断面を楔状に設定する場合に、拡大図中に示すように、先端挿し込み部４１における外周側の縁部に面取り部４３を形成する場合には、この先端挿し込み部４１の所定位置への圧入操作を容易にすることになる利点がある。
【００２６】
つぎに、図２は、この発明による形態保持構造の他の実施形態を示すが、この実施形態にあっては、カバー体３の開口端部３１が内側に突出する突起３２を有すると共に、プラグ４の先端挿し込み部４１が上記の突起３２を収容させる凹部４４を外周に有してなるとしている。
【００２７】
それゆえ、この形態保持構造にあっては、プラグ４における先端挿し込み部４１をカバー体３の開口端部３１とシリンダ体１との間に圧入するとき、先端挿し込み部４１の凹部４４にカバー体３の突起３２が収容される、すなわち、嵌入されることになって、前記した実施形態の場合に比較して抵抗が大きくなり、油圧緩衝器の収縮状態に維持し得ることになる。
【００２８】
以上からすれば、上記の突起３２およびこれを嵌入させる凹部４４の形状については、任意に選択できるが、突起３２が独立形状に形成されるとしても、凹部４４についてはこれが環状に形成されるのが好ましであろう。
【００２９】
そして、突起３２が独立形状に形成されるとするとき、図示するところでは、カバー体３の開口端部３１を部分的に変形させることで形成されるとしているが、この突起３２の機能するところを勘案すれば、上記したカバー体３の開口端部３１における部分的な変形に代えて、図示しないが、ピン状体をカバー体３の開口端部３１に植設するとしても良いことはもちろんである。
【００３０】
ちなみに、この実施形態にあっても、プラグ４は、分割構造に形成されてなるのはもちろんで、また、プラスチックやゴムで形成されてなるとするのが良い。
【００３１】
さらに、図４は、この発明による形態保持構造のさらに他の実施形態を示すが、この実施形態にあっては、まず、油圧緩衝器が複筒型からなるとしている。
【００３２】
すなわち、前記したところであるが、この発明を具現化するにあって、油圧緩衝器は、凡そシリンダ体を有する構成のものであれば、単筒型からなるとしても良く、また、複筒型からなるとしても良いことはもちろんで、仮に、前記したところが単筒型からなる油圧緩衝器であるとすれば、この図４に示すところは、油圧緩衝器が複筒型からなるとするものである。
【００３３】
そして、この複筒型の油圧緩衝器にあっては、図示しないが、内側でピストン部が摺動する内筒たるシリンダの外周に隙間を有して配在されるシリンダ体たる外筒５の外周に凹凸が設けられるなどしてもシリンダ内におけるピストン部の摺動に影響を与えないことになる。
【００３４】
そこで、この外筒５の外周に凹部５１を形成し、この凹部５１にプラグ４に形成の、特に、図示するところでは、プラグ４における本体部４２の内周に形成の凸部４５を収容させる、すなわち、嵌入させることで、このプラグ４の外筒５に対する定着が確実になり、このとき、挿し込み部４１がカバー体３の開口端部３１と外筒５との間に圧入されていることで、カバー体３と外筒５との間における相対移動を効果的に阻止し得ることになる。
【００３５】
ちなみに、外筒５の外周に形成される凹部５１は、これが外筒５の外周にあって周方向となる環状に形成され、それに対して、プラグ４側に形成される凸部４５は、相応する環状に形成され、あるいは、独立する突起状に形成されるとするのが好ましいが、要は、外筒５に対する定着が確実となる構成であれば任意の構成が選択されて良い。
【００３６】
ちなみに、この実施形態にあっても、プラグ４は、分割構造に形成されてなるのはもちろんで、また、プラスチックやゴムで形成されてなるとするのが良い。
【００３７】
前記したところは、プラグ４が分割構造に形成されてなるとしたが、これは、シリンダ体１のボトム端１２に連設されるアイ１３が多くの場合にシリンダ体１の外径より大きい寸法を有するように形成されるだろうから、このアイ１３を交わしたりすることなくしてシリンダ体１の外周にプラグ４を介装させることを可能にするためからである。
【００３８】
それゆえ、上記のアイ１３の寸法がシリンダ体１の外径よりも小さく設定されている場合は、このアイ１３を交わして、また、シリンダ体１のボトム端１２を交わすようにして、図示しないが、環状に形成されたプラグ４をシリンダ体１の外周に介装するようにしても良いことはもちろんである。
【００３９】
ちなみに、プラグ４が環状に形成されて利用される場合には、その撤去に際しては、これが破断されるであろう。
【００４０】
なお、プラグ４の分割の態様としては、図示するところでは、二分割とされているが、三分割以上の複数分割とされて良く、また、分割されているプラグ４が適宜の手段で連結されてなるとしても良いことはもちろんである。
【図面の簡単な説明】
【００４１】
【図１】この発明の一実施形態による形態保持構造を具現化した油圧緩衝器を示す部分断面正面図である。
【図２】図１におけるプラグの圧入状態を拡大して示す部分断面図である。
【図３】他の実施形態による形態保持構造を構成するプラグの圧入状態を図２と同様に示す図である。
【図４】さらに他の実施形態による形態保持構造を構成するプラグの圧入状態を図２と同様に示す図である。
【符号の説明】
【００４２】
１  シリンダ体
２  ロッド体
３  カバー体
４  プラグ
５  シリンダ体たる外筒
１１  ヘッド部
３１  開口端部
３２  突起
４１  先端挿し込み部
４３  テーパ部
４４，５１  凹部
４５  凸部
【図１】
2006348986.tif 000003
【図２】
2006348986.tif 000004
【図３】
2006348986.tif 000005
【図４】
2006348986.tif 000006